(57)【要約】【課題】  とくにキャビンを持たないオープンタイプの油圧ショベルにおいて、コンソールボックス内に配置される内部電装品の浸水を防止する。【解決手段】  運転席の近傍に設けられたコンソールボックス６内に電装品を配置するに当たり、同ボックス底面にブラケット１４を取付け、電装品１５…が溜まり水によって浸水することのないようにこのブラケット１４に電装品１５…をボックス底面から離間した状態で設置した。【選択図】        図１
2005088780.tif 000002
【特許請求の範囲】
【請求項１】
運転席の近傍に設けられたコンソールボックス内に、電装品をブラケットによってボックス底面から離した状態で設置したことを特徴とする作業機械における電装品の防水構造。
【請求項２】
ブラケットをコンソールボックスの底面に設けたことを特徴とする請求項１記載の作業機械における電装品の防水構造。
【請求項３】
ブラケットを、コンソールボックスの上面部に設けられたスイッチパネルの下面にボックス底面から離間した状態で設けたことを特徴とする請求項１記載の作業機械における電装品の防水構造。
【請求項４】
ブラケットを、コンソールボックスを構成する強度部材にボックス底面から離間した状態で設けたことを特徴とする請求項１記載の作業機械における電装品の防水構造。
【請求項５】
コンソールボックスの底面に、同ボックス内の水をボックス外に抜く水抜き穴を設けたことを特徴とする請求項１乃至４のいずれかに記載の作業機械における電装品の防水構造。
【請求項６】
コンソールボックスの底面を水抜き穴に向かって先下がりに傾斜させたことを特徴とする請求項５記載の作業機械における電装品の防水構造。
【請求項７】
コンソールボックスの底面に、水を水抜き穴に導く排水通路を設けたことを特徴とする請求項５または６記載の作業機械における電装品の防水構造。
【請求項８】
コンソールボックス内においてブラケットの上方に、電装品を覆う屋根部材を設けたことを特徴とする請求項１乃至７のいずれか１項に記載の作業機械における電装品の防水構造。
【請求項９】
屋根部材を、コントロールボックスの底面に設けられた水抜き穴に向かって先下がりに傾斜させたことを特徴とする請求項８記載の作業機械における電装品の防水構造。
【発明の詳細な説明】
【技術分野】
【０００１】
本発明は油圧ショベルの作業機械において、コンソールボックス内に設置された電装品を水から保護する防水構造に関するものである。
【背景技術】
【０００２】
油圧ショベルを例にとって従来の技術を説明する。
【０００３】
油圧ショベルは、図７に示すようにクローラ式の下部走行体１と、この下部走行体１上に縦軸まわりに旋回自在に搭載された上部旋回体２と、この上部旋回体２に装着された作業アタッチメント３とによって構成される。４はキャノピである。
【０００４】
上部旋回体２には、運転席５が設けられるとともに、図８に示すようにこの運転席５の左右両側にコンソールボックス６（片側のみ図示）が設けられ、このコンソールボックス６の上面に設けられたスイッチパネル７に、ショベルの制御に必要な複数の電装品、たとえば種々の情報を表示するモニタ８やキースイッチ、ライトスイッチ等のスイッチ類９…が配置される。１０はコンソールボックス６の前部に配置された操作レバーである。
【０００５】
従来、コンソールボックス６まわりの防水構造としては、電装品を防水ケース内に密封するなど、主として各電装品について施されている（特許文献１参照）。
【０００６】
一方、コンソールボックス６そのものは、メンテナンスのためにその上面を開放する必要があるため、完全なシールは技術的に困難であるなどの事情から、防水性は必ずしも十分ではなかった。
【０００７】
一方、リレーのようなオペレータによって操作されない非操作系の電装品は、運転席５のシート下の空間に設置されている。この非操作系の電装品は、元々浸水のおそれが少ない場所に設置されているため、防水構造としてはとくに施されていない。
【特許文献１】特開平１０−１８３６９７号公報
【発明の開示】
【発明が解決しようとする課題】
【０００８】
この油圧ショベルにおいて、配線や組立の簡略化の観点から、すべて、または大部分の電装品をコンソールボックス６に集中配置することが望まれている。
【０００９】
この場合、コンソールボックス６に新たに配置される電装品は、スペースの関係からコンソールボックス６内に設置されるが、同ボックス６の内周には取付けに適した強度部材がないことから、ボックス底面に配置されることとなる。
【００１０】
ところが、公知技術では上記のようにコンソールボックス６そのものの防水性が低いことから、ボックス底面に配置される電装品（以下、内部電装品という）の防水性が問題となる。
【００１１】
とくに、図例のようにキャビンがなく、キャノピ４で運転席上方を覆っただけのオープンタイプのショベルでは、コンソールボックス６への雨水や雪解け水の浸入が避けられないため、内部電装品が浸水し、短絡や漏電等の電気障害を起こす可能性がある。
【００１２】
そこで本発明は、コンソールボックス内に配置される内部電装品の浸水を確実に防止することができる作業機械における電装品の防水構造を提供するものである。
【課題を解決するための手段】
【００１３】
請求項１の発明は、運転席の近傍に設けられたコンソールボックス内に、電装品をブラケットによってボックス底面から離した状態で設置したものである。
【００１４】
請求項２の発明は、請求項１の構成において、ブラケットをコンソールボックスの底面に設けたものである。
【００１５】
請求項３の発明は、請求項１の構成において、ブラケットを、コンソールボックスの上面部に設けられたスイッチパネルの下面にボックス底面から離間した状態で設けたものである。
【００１６】
請求項４の発明は、請求項１の構成において、ブラケットを、コンソールボックスを構成する強度部材にボックス底面から離間した状態で設けたものである。
【００１７】
請求項５の発明は、請求項１乃至４のいずれかの構成において、コンソールボックスの底面に、同ボックス内の水をボックス外に抜く水抜き穴を設けたものである。
【００１８】
請求項６の発明は、請求項５の構成において、コンソールボックスの底面を水抜き穴に向かって先下がりに傾斜させたものである。
【００１９】
請求項７の発明は、請求項５または６の構成において、コンソールボックスの底面に、水を水抜き穴に導く排水通路を設けたものである。
【００２０】
請求項８の発明は、請求項１乃至７のいずれかの構成において、コンソールボックス内においてブラケットの上方に、電装品を覆う屋根部材を設けたものである。
【００２１】
請求項９の発明は、請求項８の構成において、屋根部材を、コントロールボックスの底面に設けられた水抜き穴に向かって先下がりに傾斜させたものである。
【発明の効果】
【００２２】
本発明によると、内部電装品をブラケットによってコンソールボックス底面から離間した状態で設置するため、溜まり水による内部電装品の浸水を防止することができる。
【００２３】
また、複数の内部電装品をブラケットに取付けた状態で一括してコンソールボックス内に組み込むことができるため、コンソールボックスの組立が容易となる。
【００２４】
この場合、ブラケットは、コンソールボックスの底面に高下駄式に取付けてもよいし（請求項２）、スイッチパネルの下面（請求項３）、またはコンソールボックスを構成する強度部材（請求項４）にボックス底面から離間した状態で取付けてもよい。
【００２５】
請求項３，４の発明によると、ブラケットそのものがボックス底面から離間しているため、ボックス内の溜まり水がブラケットに邪魔されずにスムーズに排出される。
【００２６】
また、請求項５〜７の発明によると、加えて、コンソールボックスの底面に、溜まり水をボックス外に抜く水抜き穴を設けているため、溜まり水の水位が上がって内部電装品が浸水するというおそれがない。
【００２７】
とくに請求項６，７の発明によると、ボックス底面を水抜き穴に向かって傾斜させ、または排水通路により水を水抜き穴に導くため、排水性が良く、内部電装品の浸水を一層確実に防止することができる。
【００２８】
さらに請求項８，９の発明によると、ブラケットに取付けられた内部電装品を屋根部材で上から覆う（請求項９では、加えてこの屋根部材上の水を底面の水抜き穴に向けて落とす）ため、内部電装品を上から滴下する水に対しても防護することができる。
【発明を実施するための最良の形態】
【００２９】
本発明の実施形態を図１〜図６によって説明する。なお、以下の実施形態において図８に示す部分と同一部分には同一符号を付して示し、その重複説明を省略する。
【００３０】
第１実施形態（図１，２参照）
コンソールボックス６は、底板１１と、操作レバー１０が取付けられるレバー取付フレーム１２から成る強度部材としてのボックスフレーム１３を備え、このボックスフレーム１３に、モニタ８やスイッチ類９…が取付けられるスイッチパネル７、及び図示しないプラスチック製の側パネルが取付けられる。１１ａは底板１１の後端に一体に立ち上がり形成された背板である。
【００３１】
第１実施形態においては、このコンソールボックス６における底板１１の前部上面に型材からなる底面ブラケット１４が左右方向に水平に設けられ、この底面ブラケット１４上にリレー等の複数の内部電装品１５…が取付けられている。
【００３２】
こうして、内部電装品１５…がボックス底面（底板１１の上面）から離間して高下駄式に配置されているため、コンソールボックス６内に水Ｗが浸入しても内部電装品１５…が浸水するおそれがない。すなわち、内部電装品１５…を水から確実に保護し、水による短絡や漏電を防止することができる。
【００３３】
また、複数の内部電装品１５…を底面ブラケット１４に取付けた状態で一括してボックス６内に組み込むことができるため、コンソールボックス６の組立が容易となる。
【００３４】
第２実施形態（図３，４参照）
第２実施形態においては、スイッチパネル７の下面に型材からなる吊り下げブラケット１６が取付けられ、この吊り下げブラケット１６に複数の内部電装品１５…がボックス底面から離間して取付けられている。
【００３５】
この吊り下げ構造によっても、内部電装品１５…の浸水を確実に防止することができる。
【００３６】
また、この吊り下げ方式によると、ブラケット１６そのものがボックス底面から離間しているため、ボックス内の溜まり水Ｗがブラケット１６に邪魔されずにスムーズに排出される。
【００３７】
第３実施形態（図５，６参照）
第３実施形態においては、ボックスフレーム１３を構成する強度部材であるレバー取付フレーム１２に板状のブラケット１７がボックス底板１１から離間した状態で取付けられ、このブラケット１７に複数の内部電装品１５…が取付けられている。
【００３８】
また、ボックス底板１１の後部に、コンソールボックス６内に浸入した水を外部に抜く水抜き穴１８が設けられるとともに、水をこの水抜き穴１８に導く排水通路１９がボックス底板１１の上面に形成されている。
【００３９】
この排水通路１９は、図示のようにボックス底板１１の左右方向の中央部を前後方向の全長に亘って凹ませて形成してもよいし、ボックス底板１１の上面左右両側にプラスチック製等のシート材を取付けることによって形成してもよい。
【００４０】
この構成によると、内部電装品１５…の浸水を防止できるという基本的な作用効果に加えて、浸入した水の排出性をさらに高めることができる。このため、機械の洗浄水や豪雨、雪解け水等によって大量の水が一気にボックス内に浸入してもその水位の上昇を抑え、内部電装品１５…をより確実に保護することができる。
【００４１】
さらに、この実施形態では、レバー取付フレーム１２におけるブラケット１７の上方に、内部電装品１５…を上から覆う屋根部材２０が取付けられ、内部電装品１５…をこの屋根部材２０によって上から滴下する水からも防護できるように構成されている。
【００４２】
この屋根部材２０は、内部電装品１５…の上方のみを覆う範囲で設けてもよいが、図示のように受けた水を底面の水抜き穴１８に向かって導くように水抜き穴１８に臨む位置まで延ばすのが望ましい。また、排水性を高めるために図示のようにこの屋根部材２０についても水抜き穴１８側（後側）に向かって先下がりに傾斜させるのが望ましい。
【００４３】
さらに、内部電装品１５…のメンテナンスを容易にするために屋根部材２０を着脱可能とするのが望ましい。
【００４４】
ところで、運転席の両側にコンソールボックスが設けられる油圧ショベルの場合、上記電装品の防水構造を両側コンソールボックスに適用することができる。
【００４５】
また、本発明は油圧ショベルに限らず、油圧ショベルの作業アタッチメント全体またはその一部を変えて構成される振動式の破砕機や圧砕機、深穴掘削機等、他の作業機械にも適用することができる。
【図面の簡単な説明】
【００４６】
【図１】本発明の第１実施形態を示す斜視図である。
【図２】同実施形態の側断面図である。
【図３】本発明の第２実施形態を示す斜視図である。
【図４】同実施形態の側断面図である。
【図５】本発明の第３実施形態を示す斜視図である。
【図６】同実施形態の側断面図である。
【図７】油圧ショベルの概略側面図である。
【図８】油圧ショベルにおけるコンソールボックスの配置を示す概略平面図である。
【符号の説明】
【００４７】
５  運転席
６  コンソールボックス
７  コンソールボックスのスイッチパネル
１１  同底板
１２  コンソールボックスを構成する強度部材としてのレバー取付フレーム
１４  電装品取付用の底面ブラケット
１５…  コンソールボックス内に配置される電装品
１６  吊り下げブラケット
１７  電装品取付用のブラケット
１８  水抜き穴
１９  排水通路
２０  屋根部材
【図１】
2005088780.tif 000003
【図２】
2005088780.tif 000004
【図３】
2005088780.tif 000005
【図４】
2005088780.tif 000006
【図５】
2005088780.tif 000007
【図６】
2005088780.tif 000008
【図７】
2005088780.tif 000009
【図８】
2005088780.tif 000010